【手続補正書】
【提出日】平成24年12月14日(2012.12.14)
【手続補正１】
【補正対象書類名】特許請求の範囲
【補正対象項目名】全文
【補正方法】変更
【補正の内容】
【特許請求の範囲】
【請求項１】
サーバ装置と、該サーバ装置が提供する外部アプリケーションを利用可能な情報処理装置とを含む情報処理システムであって、
前記情報処理装置は、
現在設定されている設定情報で処理を実行させるためのカスタムボタンを登録するための登録ボタンを含む前記外部アプリケーションの操作画面を表示部に表示する第１表示制御手段と、
前記登録ボタンが押下されると、前記現在設定されている設定情報に関するアクションデータの登録要求を、該現在設定されている設定情報とともに前記サーバ装置に通知する第１通知手段と、
前記カスタムボタンに関するボタンデータを格納するボタンデータ格納手段と、
前記カスタムボタンの表示が指示されると、前記ボタンデータ格納手段に格納されたボタンデータに基づき、前記カスタムボタンを前記表示部に表示する第２表示制御手段と
を備え、
前記サーバ装置は、
前記アクションデータの登録要求を受信すると、受信した前記現在設定されている設定情報をアクションデータとして格納するアクションデータ格納手段を備えることを特徴とする情報処理システム。
【請求項２】
前記情報処理装置は、
前記表示部に表示された前記カスタムボタンが押下されると、該カスタムボタンに対応する前記ボタンデータを用いて、前記サーバ装置に対して、画面情報の提供を要求する要求手段をさらに備え、
前記サーバ装置は、
前記要求手段の要求に対応するアクションデータを前記アクションデータ格納手段から読み出し、読み出した該アクションデータを用いて前記画面情報を生成して前記情報処理装置に送信する送信手段をさらに備え、
前記第１表示制御手段は、前記サーバ装置から提供された画面情報を用いて、前記登録ボタンが押下された際に設定されていた設定情報を反映した前記外部アプリケーションの操作画面を前記表示部に表示することを特徴とする請求項１に記載の情報処理システム。
【請求項３】
前記情報処理装置は、
登録されている前記カスタムボタンを選択可能に表示するとともに、選択された該カスタムボタンを削除する削除ボタンを前記表示部に表示する第３表示制御手段と、
前記カスタムボタンが選択された状態で前記削除ボタンが押下された場合に、選択された前記カスタムボタンに対応する前記アクションデータの削除要求を前記サーバ装置に通知する第３通知手段と、
削除された前記アクションデータに対応する前記ボタンデータを削除する第１削除手段と
をさらに備え、
前記サーバ装置は、
前記削除要求を受信すると、対応する前記アクションデータを削除する第２削除手段をさらに備えることを特徴とする請求項１又は２に記載の情報処理システム。
【請求項４】
前記情報処理装置は、
前記削除ボタンを押下したユーザが当該カスタムボタンを削除する権限を有し、かつ、該カスタムボタンが使用中でない場合に、対応する前記アクションデータ及び前記ボタンデータの削除を指示する手段をさらに備えることを特徴とする請求項３に記載の情報処理システム。
【請求項５】
１つの前記ボタンデータは、複数の前記サーバ装置の情報に対応付けられ、
前記要求手段は、複数の前記サーバ装置のうち、前記情報処理装置と現在通信可能なサーバ装置に前記画面情報の提供を要求することを特徴とする請求項２に記載の情報処理システム。
【請求項６】
前記第１表示制御手段は、Ｗｅｂブラウザ機能を用いて前記外部アプリケーションの操作画面を表示することを特徴とする請求項１乃至５のいずれか１項に記載に情報処理システム。
【請求項７】
前記情報処理装置は、
原稿上の画像を読み取って画像データを生成する生成手段と、
前記生成手段により生成された画像データを印刷する印刷手段と
を更に備え、
前記外部アプリケーションは、前記生成手段及び前記印刷手段を用いたコピー処理を実行するためのアプリケーションであることを特徴とする請求項１乃至６のいずれか１項に記載の情報処理システム。
【請求項８】
前記情報処理装置には、内部アプリケーションが備えられ、
前記ボタンデータ格納手段には、前記内部アプリケーションに対応するボタンデータが更に格納されることを特徴とする請求項１乃至７のいずれか１項に記載の情報処理システム。
【請求項９】
サーバ装置が提供する外部アプリケーションを利用可能な情報処理装置であって、
現在設定されている設定情報で処理を実行させるためのカスタムボタンを登録するための登録ボタンを含む前記外部アプリケーションの操作画面を表示部に表示する第１表示制御手段と、
前記登録ボタンが押下されると、前記現在設定されている設定情報に関するアクションデータの登録要求を、該現在設定されている設定情報とともに前記サーバ装置に通知する第１通知手段と、
前記カスタムボタンに関するボタンデータを格納するボタンデータ格納手段と、
前記カスタムボタンの表示が指示されると、前記ボタンデータ格納手段に格納されたボタンデータに基づき、前記カスタムボタンを前記表示部に表示する第２表示制御手段と、
を備えることを特徴とする情報処理装置。
【請求項１０】
前記表示部に表示された前記カスタムボタンが押下されると、該カスタムボタンに対応する前記ボタンデータを用いて、前記サーバ装置に対して、画面情報の提供を要求する要求手段を更に備えることを特徴とする請求項９に記載の情報処理装置。
【請求項１１】
前記第１表示制御手段は、Ｗｅｂブラウザ機能を用いて前記外部アプリケーションの操作画面を表示することを特徴とする請求項９又は１０に記載に情報処理装置。
【請求項１２】
原稿上の画像を読み取って画像データを生成する生成手段と、
前記生成手段により生成された画像データを印刷する印刷手段と
を更に備え、
前記外部アプリケーションは、前記生成手段及び前記印刷手段を用いたコピー処理を実行するためのアプリケーションであることを特徴とする請求項９乃至１１のいずれか１項に記載の情報処理装置。
【請求項１３】
前記情報処理装置には、内部アプリケーションが備えられ、
前記ボタンデータ格納手段には、前記内部アプリケーションに対応するボタンデータが更に格納されることを特徴とする請求項９乃至１２のいずれか１項に記載の情報処理装置。
【請求項１４】
サーバ装置と、該サーバ装置が提供する外部アプリケーションを利用可能な情報処理装置とを含む情報処理システムの制御方法であって、
前記情報処理装置において、
第１表示制御手段が、現在設定されている設定情報で処理を実行させるためのカスタムボタンを登録するための登録ボタンを含む前記外部アプリケーションの操作画面を表示部に表示するステップと、
第１通知手段が、前記登録ボタンが押下されると、前記現在設定されている設定情報に関するアクションデータの登録要求を、該現在設定されている設定情報とともに前記サーバ装置に通知するステップと、
ボタンデータ格納手段が、前記カスタムボタンに関するボタンデータを格納するステップと、
第２表示制御手段が、前記カスタムボタンの表示が指示されると、前記ボタンデータ格納手段に格納されたボタンデータに基づき、前記カスタムボタンを前記表示部に表示するステップと
を実行し、
前記サーバ装置において、
アクションデータ格納手段が、前記アクションデータの登録要求を受信すると、受信した前記現在設定されている設定情報をアクションデータとして格納するステップを実行することを特徴とする情報処理システムの制御方法。
【請求項１５】
サーバ装置が提供する外部アプリケーションを利用可能な情報処理装置の制御方法であって、
第１表示制御手段が、現在設定されている設定情報で処理を実行させるためのカスタムボタンを登録するための登録ボタンを含む前記外部アプリケーションの操作画面を表示部に表示するステップと、
第１通知手段が、前記登録ボタンが押下されると、前記現在設定されている設定情報に関するアクションデータの登録要求を、該現在設定されている設定情報とともに前記サーバ装置に通知するステップと、
ボタンデータ格納手段が、前記カスタムボタンに関するボタンデータを格納するステップと、
第２表示制御手段が、前記カスタムボタンの表示が指示されると、前記ボタンデータ格納手段に格納されたボタンデータに基づき、前記カスタムボタンを前記表示部に表示するステップと、
を備えることを特徴とする情報処理装置の制御方法。
【請求項１６】
コンピュータを請求項１乃至８のいずれか１項に記載の情報処理システムの各手段として機能させるためのプログラム。
【請求項１７】
コンピュータを請求項９乃至１３のいずれか１項に記載の情報処理装置の各手段として機能させるためのプログラム。
【手続補正２】
【補正対象書類名】明細書
【補正対象項目名】発明の名称
【補正方法】変更
【補正の内容】
【発明の名称】情報処理システム、情報処理装置、それらの制御方法、及びプログラム
【手続補正３】
【補正対象書類名】明細書
【補正対象項目名】０００１
【補正方法】変更
【補正の内容】
【０００１】
本発明は、サーバ装置が提供する外部アプリケーションを利用可能な情報処理装置及び当該情報処理装置を含む情報処理システムに関するものである。
【手続補正４】
【補正対象書類名】明細書
【補正対象項目名】０００７
【補正方法】変更
【補正の内容】
【０００７】
本発明は、上述の問題に鑑みて成されたものであり、ユーザの要望に応じてカスタマイズ可能な操作画面において、外部装置が提供するアプリケーションに対応するカスタムボタンを登録する仕組みを提供することを目的とする。
【手続補正５】
【補正対象書類名】明細書
【補正対象項目名】０００８
【補正方法】変更
【補正の内容】
【０００８】
本発明の情報処理システムは、サーバ装置と、該サーバ装置が提供する外部アプリケーションを利用可能な情報処理装置とを含む情報処理システムであって、前記情報処理装置は、現在設定されている設定情報で処理を実行させるためのカスタムボタンを登録するための登録ボタンを含む前記外部アプリケーションの操作画面を表示部に表示する第１表示制御手段と、前記登録ボタンが押下されると、前記現在設定されている設定情報に関するアクションデータの登録要求を、該現在設定されている設定情報とともに前記サーバ装置に通知する第１通知手段と、前記カスタムボタンに関するボタンデータを格納するボタンデータ格納手段と、前記カスタムボタンの表示が指示されると、前記ボタンデータ格納手段に格納されたボタンデータに基づき、前記カスタムボタンを前記表示部に表示する第２表示制御手段とを備え、前記サーバ装置は、前記アクションデータの登録要求を受信すると、受信した前記現在設定されている設定情報をアクションデータとして格納するアクションデータ格納手段を備えることを特徴とする。
【手続補正６】
【補正対象書類名】明細書
【補正対象項目名】０００９
【補正方法】変更
【補正の内容】
【０００９】
本発明は、例えば、ユーザの要望に応じてカスタマイズ可能な操作画面において、外部装置が提供するアプリケーションに対応するカスタムボタンを登録することができる。